(57)【要約】【課題】点光源を用いる線状の光源装置における光量斑を低減すること。【解決手段】第１ディフューザー３０ａは、両端部領域における光量低下を抑制するために、両端部領域の厚みが他の領域よりも薄いという特徴を備えている。すなわち、両端部に他の領域よりも厚さの薄い第１の薄肉部Ｔ１と第２の薄肉部Ｔ２とを備えている。【選択図】図４
2010243964.tif 000002
【特許請求の範囲】
【請求項１】
光源装置であって、
線状に配置された複数の第１の点光源を備える第１の発光部と、
前記第１の発光部と平行に配置され、各前記第１の点光源と重なり合わないようにそれぞれ配置されている複数の第２の点光源を備える第２の発光部と、
前記第１の発光部を覆う第１の拡散部であって、他の領域よりも厚さの薄い薄肉部を両端部に有する第１の拡散部と、
前記第２の発光部を覆う第２の拡散部であって、他の領域よりも厚さの薄い薄肉部を両端部に有する第２の拡散部と、
を備える光源装置。
【請求項２】
請求項１に記載の光源装置であって、
前記複数の第１の点光源は所定の間隔を空けて配置されており、
前記複数の第２の点光源は、前記間隔に対向する位置に配置されている、
光源装置。
【請求項３】
請求項１または２に記載の光源装置であって、
前記第１の拡散部は前記薄肉部として前記他の領域と斜面によって接続されている厚さが一定の第１の薄肉部と第２の薄肉部とを備え、
前記第１の発光部は、前記第１の拡散部の第１の薄肉部と第２の薄肉部に対応する発光部第１端部と発光部第２端部とを有し、発光部第１端部および発光部第２端部に配置されている点光源は前記第１の薄肉部および第２の薄肉部とそれぞれ対向し、
前記第２の拡散部は前記薄肉部として前記他の領域と斜面によって接続されている厚さが一定の第３の薄肉部と第４の薄肉部とを備え、
前記第２の発光部は、前記第２の拡散部の第３の薄肉部と第４の薄肉部に対応する発光部第３端部と発光部第４端部とを有し、発光部第３端部に配置されている点光源は前記他の領域と第３の薄肉部とを接続する斜面に対向する、
光源装置。
【請求項４】
請求項１または２に記載の光源装置であって、
前記第１の拡散部は、中央部から両端部に向かって厚さが薄くなるよう形成されており、
前記第２の拡散部は、中央部から両端部に向かって厚さが薄くなるよう形成されている、
光源装置。
【請求項５】
請求項１または２に記載の光源装置であって、
前記第１の拡散部は前記薄肉部として厚さが一定の第１の薄肉部と、第１の薄肉部よりも長く厚さが一定の第２の薄肉部とを備え、
前記第２の拡散部は前記薄肉部として前記第１の拡散部の第１の薄肉部と対向する厚さが一定な第３の薄肉部と前記第１の拡散部の第２の薄肉部と対向する厚さが一定の第４の薄肉部とを備え、前記第３の薄肉部は第４の薄肉部よりも短い、
光源装置。
【請求項６】
請求項１または２に記載の光源装置であって、
前記第１の拡散部は前記薄肉部として前記他の領域と斜面によって接続されている厚さが一定の第１の薄肉部と第２の薄肉部とを備え、
前記第１の発光部は、前記第１の拡散部の第１の薄肉部と第２の薄肉部に対応する発光部第１端部と発光部第２端部とを有し、発光部第１端部に配置されている点光源は前記第１の薄肉部と対向し、発光部第２端部に配置されている点光源は前記他の領域と第２の薄肉部とを接続する斜面に対向し、
前記第２の拡散部は前記薄肉部として前記他の領域と斜面によって接続されている厚さが一定の第３の薄肉部と第４の薄肉部とを備え、
前記第２の発光部は、前記第２の拡散部の第３の薄肉部と第４の薄肉部に対応する発光部第３端部と発光部第４端部とを有し、発光部第４端部に配置されている点光源は前記第４の薄肉部と対向し、発光部第３端部に配置されている点光源は前記他の領域と第３の薄肉部とを接続する斜面に対向する、
光源装置。
【請求項７】
請求項１または２に記載の光源装置であって、
前記第１の拡散部は前記第１の発光部の光量分布特性のむらを抑制するように厚さが調整され、
前記第２の拡散部は前記第２の発光部の光量分布特性のむらを抑制するように厚さが調整されている、
光源装置。
【請求項８】
原稿読み取り装置であって、
請求項１から７のいずれかに記載の光源装置と、
原稿読み取り部とを備える原稿読み取り装置。
【発明の詳細な説明】
【技術分野】
【０００１】
本発明は、光源装置に関し、より具体的には、原稿読み取り装置に好適な光源装置に関する。
【背景技術】
【０００２】
光源装置、特に原稿読み取り装置に用いられる光源装置では、読み取り対象である原稿面に対して斑のない均一な読み取り光を照射することが望まれている。従来の光源装置では、線光源である冷陰極管が用いられていたため光量斑はあまり問題とされていなかった。
【先行技術文献】
【特許文献】
【０００３】
【特許文献１】特開２００１−１０３２４６号公報
【特許文献２】特開２００５−３４７８３５号公報
【０００４】
しかしながら、近年、白色発光ダイオードの普及と共に点光源である発光ダイオードが光源装置に用いられるようになった。発光ダイオードは指向性が強く、点光源であるため、原稿読み取り面における光量斑が問題となっていた。また、原稿読み取り面の主走査方向に伸びる線状の光源装置では、構造上、主走査方向の中央領域と両端部領域とにおいて光量差が発生するという課題があった。この課題を解決するために、いわゆるシェーディング補正が実行されているが、光源の最大輝度にて必要な光量を提供している場合には両端部における光量を更に増大させることはできず、結果として中央領域の光量を低減することによって光量斑を低減しなければならない。したがって、光源装置としての光量を低下させることなく、すなわち、補正によって中央領域における光量を低下させることなく光量斑を低減することが望まれている。
【発明の概要】
【発明が解決しようとする課題】
【０００５】
本発明は、上記課題の少なくとも一部を解決するためになされたものであり、点光源を用いる線状の光源装置における光量斑を低減することを目的とする。
【課題を解決するための手段】
【０００６】
上記課題の少なくとも一部を解決するために、本発明は以下の種々の態様を採る。
【０００７】
第１の態様は、光源装置を提供する。第１の態様に係る光源装置は、線状に配置された複数の第１の点光源を備える第１の発光部と、前記第１の発光部と平行に配置され、各前記第１の点光源と重なり合わないようにそれぞれ配置されている複数の第２の点光源を備える第２の発光部と、前記第１の発光部を覆う第１の拡散部であって、他の領域よりも厚さの薄い薄肉部を両端部に有する第１の拡散部と、前記第２の発光部を覆う第２の拡散部であって、他の領域よりも厚さの薄い薄肉部を両端部に有する第２の拡散部とを備える。
【０００８】
第１の態様に係る光源装置は、第１の発光部に配置されている複数の第１の点光源と第２の発光部に配置されている複数の第２の点光源とが互いに重なり合わないように配置され、他の領域よりも厚さの薄い薄肉部を両端部に有する第１の拡散部と、他の領域よりも厚さの薄い薄肉部を両端部に有する第２の拡散部とを備えるので、点光源を用いる線状の光源装置における光量斑を低減することができる。
【０００９】
第１の態様に係る光源装置において、前記複数の第１の点光源は所定の間隔を空けて配置されており、前記複数の第２の点光源は、前記間隔に対向する位置に配置されていても良い。この場合には、一方の発光部において点光源が存在しないことによる光量の低下を他方の発光部における点光源によって補い、光源装置全体としての光量斑を低減することができる。
【００１０】
第１の態様に係る光源装置において、前記第１の拡散部は前記薄肉部として前記他の領域と斜面によって接続されている厚さが一定の第１の薄肉部と第２の薄肉部とを備え、前記第１の発光部は、前記第１の拡散部の第１の薄肉部と第２の薄肉部に対応する発光部第１端部と発光部第２端部とを有し、発光部第１端部および発光部第２端部に配置されている点光源は前記第１の薄肉部および第２の薄肉部とそれぞれ対向し、
前記第２の拡散部は前記薄肉部として前記他の領域と斜面によって接続されている厚さが一定の第３の薄肉部と第４の薄肉部とを備え、前記第２の発光部は、前記第２の拡散部の第３の薄肉部と第４の薄肉部に対応する発光部第３端部と発光部第４端部とを有し、発光部第３端部に配置されている点光源は前記他の領域と第３の薄肉部とを接続する斜面に対向しても良い。この場合には、第２の拡散部の両端部強度を高めつつ、光源装置の両端部における光量低下を抑制し、光量斑を低減することができる。
【００１１】
第１の態様に係る光源装置において、前記第１の拡散部は、前記中央部から前記両端部に向かって厚さが薄くなるよう形成されており、前記第２の拡散部は、前記中央部から前記両端部に向かって厚さが薄くなるよう形成されていても良い。この場合には、各拡散部の両端に向かって点光源からの射出光の透過効率を増大させることができる。
【００１２】
第１の態様に係る光源装置において、前記第１の拡散部は前記薄肉部として厚さが一定の第１の薄肉部と、第１の薄肉部よりも長く厚さが一定の第２の薄肉部とを備え、前記第２の拡散部は前記薄肉部として前記第１の拡散部の第１の薄肉部と対向する厚さが一定な第３の薄肉部と前記第１の拡散部の第２の薄肉部と対向する厚さが一定の第４の薄肉部とを備え、前記第３の薄肉部は第４の薄肉部よりも短くても良い。この場合には、各発光部の両端部における点光源からの射出光を各拡散部の両端部に備えられている薄肉部を介して射出させることができる。
【００１３】
第１の態様に係る光源装置において、前記第１の拡散部は前記薄肉部として前記他の領域と斜面によって接続されている厚さが一定の第１の薄肉部と第２の薄肉部とを備え、前記第１の発光部は、前記第１の拡散部の第１の薄肉部と第２の薄肉部に対応する発光部第１端部と発光部第２端部とを有し、発光部第１端部に配置されている点光源は前記第１の薄肉部と対向し、発光部第２端部に配置されている点光源は前記他の領域と第２の薄肉部とを接続する斜面に対向し、
前記第２の拡散部は前記薄肉部として前記他の領域と斜面によって接続されている厚さが一定の第３の薄肉部と第４の薄肉部とを備え、前記第２の発光部は、前記第２の拡散部の第３の薄肉部と第４の薄肉部に対応する発光部第３端部と発光部第４端部とを有し、発光部第４端部に配置されている点光源は前記第４の薄肉部と対向し、発光部第３端部に配置されている点光源は前記他の領域と第３の薄肉部とを接続する斜面に対向しても良い。この場合には、各拡散部の両端部強度を共通にしつつ、光源装置の両端部における光量低下を抑制し、光量斑を低減することができる。
【００１４】
第１の態様に係る光源装置において、前記第１の拡散部は前記第１の発光部の光量分布特性のむらを抑制するように厚さが調整され、前記第２の拡散部は前記第２の発光部の光量分布特性のむらを抑制するように厚さが調整されていても良い。この場合には、各発光部の光量分布特性のむらを抑制することが可能となり、光源装置の光量斑を低減することができる。
【００１５】
第２の態様は、原稿読み取り装置を提供する。第２の態様に係る原稿読み取り装置は、第１の態様に係る光源装置と、原稿読み取り部とを備える。第２の態様に係る原稿読み取り装置によれば、光量斑の少ない読み取り光を用いて原稿を読み取ることが可能となり、読み取り精度を向上させることができる。
【図面の簡単な説明】
【００１６】
【図１】本実施例に係る光源装置の分解斜視図である。
【図２】図１に示す光源装置を組み合わせた際の横断面図である。
【図３】本実施例の第１および第２発光部における点光源の配置例を示す説明図である。
【図４】本実施例における第１ディフューザーの照射面の縦断面を模式的に示す説明図である。
【図５】本実施例における第１ディフューザーの第１の端部における点光源と薄肉部との対応関係を模式的に示す説明図である。
【図６】本実施例における第１ディフューザーの第２の端部における点光源と薄肉部との対応関係を模式的に示す説明図である。
【図７】第１の変形例に係る第１ディフューザーを模式的に示す説明図である。
【図８】光源装置の主走査方向における光量分布特性の一例を示す説明図である。
【図９】第２の変形例に係る光源装置の主走査方向における光量分布特性を低減する特性を有するディフューザーを模式的に示す説明図である。
【図１０】第３の変形例に係る第１ディフューザーを模式的に示す説明図である。
【図１１】第４の変形例に係る第１ディフューザーを模式的に示す説明図である。
【図１２】本実施例に係る原稿読み取り装置の概略構成を模式的に示す説明図である。
【発明を実施するための形態】
【００１７】
以下、本発明に係る光源装置、原稿読み取り装置について、図面を参照しつつ、実施例に基づいて説明する。
【００１８】
図１は本実施例に係る光源装置の分解斜視図である。図２は図１に示す光源装置を組み合わせた際の横断面図である。本実施例に係る光源装置１０は、ハウジング１１、第１および第２発光部２０ａ、２０ｂ、第１および第２拡散部（以下、「ディフューザー」とも呼ぶ。）３０ａ、３０ｂを備えている。各発光部２０ａ、２０ｂは、照射光が交差するようにハウジング１１に対向して配置され、対応する各ディフューザー３０ａ、３０ｂによって覆われている。
【００１９】
ハウジング１１は、光源装置１０を実装する装置、例えば、原稿読み取り装置に対してハウジング１１を固定するための装着部１１１と、第１および第２発光部２０ａ、２０ｂを収容し、第１および第２ディフューザーが装着される平行な第１および第２収容部１１２ａ、１１２ｂを備えている。
【００２０】
図３は本実施例の第１および第２発光部２０ａ、２０ｂにおける点光源の配置例を示す説明図である。図３（ａ）は第１および第２発光部２０ａ、２０ｂにおける点光源の第１の配置例を示し、図３（ｂ）は第１および第２発光部２０ａ、２０ｂにおける点光源の第２配置例を示す。第１の配置例では第１発光部２０ａが備える点光源の数が第２発光部２０ｂが備える点光源の数よりも多い。
【００２１】
第１および第２発光部２０ａ、２０ｂは、それぞれ長板状の第１および第２基板２１ａ、２１ｂ上に直線状に配置された複数の第１および第２点光源２２ａ、２２ｂ、コネクタ２３ａ、２３ｂを備えている。本実施例では、第１および第２点光源２２ａ、２２ｂとして側面発光式の発光ダイオードが用いられている。第１および第２基板２１ａ、２１ｂはハウジング１１の第１および第２収容部１１２ａ、１１２ｂに配置されており、第１点光源２２ａと第２点光源２２ｂとは、互いに照射光が直接重なり合わないように、すなわち、第１基板２１ａ上に配置されている第１点光源２２ａと第１点光源２２ａとの間に対応する第２基板２１ｂ上の位置に第２点光源２２ｂが配置されている。したがって、ハウジング１１に配置された第１および第２基板２１ａ、２１ｂを上面から見ると、第１および第２点光源２２ａ、２２ｂは千鳥状に配置されているということができる。コネクタ２３ａ、２３ｂは、第１および第２点光源２２ａ、２２ｂに対して電力を供給するための電源コード（図示しない）を接続するために用いられる。
【００２２】
第１および第２ディフューザー３０ａ、３０ｂは、長尺状の透明または乳白色の樹脂によって形成されている。第１および第２ディフューザー３０ａ、３０ｂは、第１および第２点光源２２ａ、２２ｂに面する内側面３１ａ、３１ｂと外部に面する外側面３２ａ、３２ｂとを備えている。第１および第２ディフューザー３０ａ、３０ｂはまた、光を射出するための射出面３３ａ、３３ｂを備えている。本実施例に係る第１および第２ディフューザー３０ａ、３０ｂは、ハウジング１１に装着される基部３４ａ、３４ｂに対して略Ｌ字状の拡散面３５ａ、３５ｂを備え、略Ｎ字状をなしている。
【００２３】
光源装置１０の各発光部２０ａ、２０ｂには、各点光源２２ａ、２２ｂから照射される光の内、各ディフューザー３０ａ、３０ｂに直接入射しない間接入射光を各ディフューザー３０ａ、３０ｂに入射させるためのリフレクタ４０ａ、４０ｂが備えられている。リフレクタ４０ａ、４０ｂは、光の反射率が高い、銀色の塗装、例えば、メッキ塗装が施された樹脂、用紙から形成されている。リフレクタ４０ａ、４０ｂとしては、この他にも表面が研磨された、あるいは、平滑な金属、鏡が用いられても良い。
【００２４】
図４は本実施例における第１ディフューザーの照射面の縦断面を模式的に示す説明図である。図４に示すように、本実施例に係る第１ディフューザー３０ａはそれぞれ、両端部領域における光量低下を抑制するために、両端部領域の厚みが他の領域よりも薄いという特徴を備えている。なお、以下では説明を簡単にするために、第１ディフューザー３０ａを代表的に用いて説明するが、第２ディフューザー３０ｂも第１ディフューザー３０ａと同様に他の領域よりも両端部の厚みが薄いという特徴を備えている。
【００２５】
先ず、第１および第２発光部２０ａ、２０ｂが図３（ａ）に示す第１の配置例を取る場合について説明する。図５は本実施例における第１ディフューザーの第１の端部における点光源と薄肉部との対応関係を模式的に示す説明図である。図６は本実施例における第２ディフューザーの第３の端部における点光源と薄肉部との対応関係を模式的に示す説明図である。なお、第１ディフューザーの第２の端部および第２ディフューザーの第４の端部における点光源と薄肉部との対応関係はそれぞれ第１ディフューザーの第１の端部および第２ディフューザーの第３の端部における対応関係と同一であるから、以下では括弧内に対応する符号を付すことで説明を省略する。
【００２６】
図５に示すように、第１ディフューザー３０ａは、第１の端部（第２の端部）から距離Ｄ１に亘って他の領域よりも厚さの薄い第１の薄肉部Ｔ１（第２の薄肉部Ｔ２）を備えている。第１発光部２０ａの発光部第１端部（発光部第２端部）において最も端に位置する点光源Ｅ１は図５に示すように第１ディフューザー３０ａの第１の薄肉部Ｔ１（第２の薄肉部Ｔ２）と対向する。一方、第２ディフューザー３０ｂもまた、図６に示すように、第３の端部（第４の端部）から距離Ｄ１に亘って他の領域よりも厚さの薄い第３の薄肉部Ｔ３（第４の薄肉部Ｔ４）を備えている。本実施例では第１発光部２０ａの点光源２２ａと第２発光部２０ｂの点光源２２ｂとは重ならないように配置されているので、第２発光部２０ｂの両端部において最も端に位置する点発光部Ｅ２は、第１発光部２０ａの両端部において最も端に位置する点発光部Ｅ１とは異なる距離に配置されている。この結果、第２発光部２０ｂの発光部第３端部（発光部第４端部）において最も端に位置する点光源Ｅ２は、図６に示すように第２ディフューザー３０ｂの第３の薄肉部Ｔ３（第４の薄肉部Ｔ４）と他の領域とを接続する斜面Ｓに対向している。
【００２７】
第１発光部２０ａの発光部第１端部（発光部第２端部）に位置する点光源Ｅ１は、第１ディフューザー３０ａの他の領域よりも肉厚が薄い第１の薄肉部Ｔ１（第２の薄肉部Ｔ２）を介して光を対象物に対して照射できるので、第１ディフューザー３０ａの両端部における光の透過性が向上され、光量低下を抑制することができる。また、第２発光部２０ｂの発光部第３端部（発光部第４端部）に位置する点光源Ｅ２は、第２ディフューザー３０ｂの他の領域と第３の薄肉部Ｔ３（第４の薄肉部Ｔ４）とを繋ぐ斜面Ｓを介して光を対象物に対して照射できるので、第２ディフューザー３０ｂの両端部における光の透過性も向上され、光量低下を抑制することができる。この結果、他の領域の光量を低下させることなく、光源装置１０の光量斑を低減することができる。また、同一形状のディフューザーを第１ディフューザー３０ａおよび第２ディフューザー３０ｂとして用いることができるので製造コストの上昇を招くことなく光源装置１０の光量斑を低減することができる。さらには、各ディフューザー３０ａ、３０ｂの両端部における強度を同一強度に維持したまま、各ディフューザー３０ａ、３０ｂの両端部における光の透過性を向上させることができる。
【００２８】
次に、第１および第２発光部２０ａ、２０ｂが図３（ｂ）に示す第２の配置例を取る場合について説明する。この場合には、図５に示す対応関係が第１ディフューザー３０ａの第１端部および第２ディフューザー３０ｂの第４端部に現れ、図６に示す対応関係が第１ディフューザー３０ａの第２端部および第２ディフューザー３０ｂの第３端部に現れる。すなわち、本実施例では第１発光部２０ａの点光源２２ａと第２発光部２０ｂの点光源２２ｂとは重ならないように配置されているので、第２の配置例を取る場合には、各発光部２０ａ、２０ｂの両端部の最も端に位置する点発光部はそれぞれ両端部から異なる距離に位置する（図３（ｂ）参照）。
【００２９】
第２の配置例を取る場合であっても、第１発光部２０ａの発光部第１端部および第２発光部２０ｂの発光部第４端部に位置する点光源Ｅ１は、各ディフューザー３０ａ、３０ｂの他の領域よりも肉厚が薄い第１の薄肉部Ｔ１、第４の薄肉部Ｔ４を介して光を対象物に対して照射可能であり、第１発光部２０ａの発光部第２端部および第２発光部２０ｂの発光部第３端部に位置する点光源Ｅ２は、各ディフューザー３０ａ、３０ｂの他の領域と第１の薄肉部Ｔ１、第４の薄肉部Ｔ４とを繋ぐ斜面Ｓを介して光を対象物に対して照射可能であるから、各ディフューザー３０ａ、３０ｂの両端部における光の透過性も向上され、光量低下を抑制することができる。この結果、他の領域の光量を低下させることなく、光源装置１０の光量斑を低減することができる。また、同一形状のディフューザーを第１ディフューザー３０ａおよび第２ディフューザー３０ｂとして用いることができるので製造コストの上昇を招くことなく光源装置１０の光量斑を低減することができる。さらには、各ディフューザー３０ａ、３０ｂの両端部における強度を同一強度に維持したまま、各ディフューザー３０ａ、３０ｂの両端部における光の透過性を向上させることができる。
【００３０】
各ディフューザー３０ａ、３０ｂの他の態様について以下説明する。なお、以下では説明を簡単にするため第１ディフューザー３０ａを例にとって説明する。
（１）第１の変形例：
図７は第１の変形例に係る第１ディフューザーを模式的に示す説明図である。この変形例は、図３（ａ）に示す第１の配置例における第２ディフューザー３０ｂの両端部に適用することにより、あるいは、図３（ｂ）に示す第２の配置例における各ディフューザー３０ａ、３０ｂの第２端部、第３端部に適用することにより、各ディフューザー３０ａ、３０ｂの対応する端部における光量低下を更に抑制することができる。ここでは、図３（ｂ）に示す第２の配置例における第１ディフューザー３０ａに適用する例に基づいて説明する。第１の変形例に係る第１ディフューザー３０１ａは、点光源Ｅ２の照射光を透過させる第２薄肉部Ｔ２’を備えている。すなわち、第２薄肉部Ｔ２は第２端部からＤ１よりも長いＤ２の距離に亘って形成されており、点光源Ｅ２は斜面Ｓではなく、第２薄肉部Ｔ２と対向している。すなわち、第１ディフューザー３０ａは、第１の薄肉部Ｔ１よりも長い第２の薄肉部Ｔ２を有している。この結果、第１ディフューザー３０ａの第２端部における光量低下を更に抑制することができる。
【００３１】
（２）第２の変形例：
図８は光源装置の主走査方向における光量分布特性の一例を示す説明図である。図９は第２の変形例に係る光源装置の主走査方向における光量分布特性を低減する特性を有するディフューザーを模式的に示す説明図である。既述のように、線状の光源装置では、図８に示すように中心から離れるに連れて原稿面における光量が低下するという特性が知られている。そこで、第２の変形例に係る第１ディフューザー３０１ａは、中心部から第１および第２端部に向かって線形的にあるいは非線形的に厚さが薄くなる特性を備えることによって、図８に示す光量分布特性を低減または打ち消す。この結果、第１ディフューザー３０ａの第１および第２端部における光量低下を抑制し、光源装置の主走査方向における光量分布特性の一様性を向上させることができる。
【００３２】
（３）第３の変形例：
図１０は第３の変形例に係る第１ディフューザーを模式的に示す説明図である。第３の変形例に係る第１ディフューザー３０２ａは、薄肉部Ｔ１およびＴ２と、中心から薄肉部Ｔ１およびＴ２に向かって肉厚が線形的にあるいは非線形的に薄くなる他の領域を備えている。第３の変形例に係る第１ディフューザー３０２ａによれば、最も関心のある光源装置１０の両端部における光量低下を抑制することができると共に他の領域における光量分布の一様性を図ることができる。
【００３３】
（４）第４の変形例：
図１１は第４の変形例に係る第１ディフューザーを模式的に示す説明図である。上記実施例および変形例では第１ディフューザー３０ａの内側面を削ることによって、薄肉部Ｔ１、Ｔ２が形成されていたが、図１１に示すように第１ディフューザー３０３ａの外側面を削ることによって薄肉部Ｔ１、Ｔ２が形成されても良い。なお、削るとは切削のみを意味するものでなく、該当部分の肉厚が薄くなるようディフューザーを形成することをも意味する。
【００３４】
・光源装置の適用例：
図１２は本実施例に係る原稿読み取り装置の概略構成を模式的に示す説明図である。本実施例に係る原稿読み取り装置５０は、反射用光源装置１０ａ、原稿載置ガラス５１１、原稿カバー５１２、走査ユニット５３、可動ミラーユニット５４、光学レンズユニット５５、撮像ユニット５６、透過用光源装置１０ｂ、制御装置６０を備えている。
【００３５】
反射用光源装置１０ａは、文書、画像といった反射原稿に対して用いられる光源装置である。透過用光源装置１０ｂは、ネガフィルム、ポジフィルムといった透過原稿に対して用いられる光源装置である。反射用光源装置１０ａは走査ユニット５３内に、透過用光源装置１０ｂは原稿カバー５１２内に、それぞれ配置されている。透過用光源装置１０ｂは、図示しない駆動機構によって、走査ユニット５３と連動して、原稿カバー５１２内において矢印方向（副走査方向）に移動することができる。
【００３６】
走査ユニット５３には、反射用光源装置１０ａの他に反射鏡５３１が備えられている。走査ユニット５３は、図示しない駆動機構によって、矢印方向に移動して、原稿載置ガラス５２１上に載置されている被照射物としての原稿４０を走査して、原稿４０の読み取り処理を実行する。
【００３７】
可動ミラーユニット５４は反射鏡５４１、５４２を備えている。可動ミラーユニット５４もまた、走査ユニット５３と連動して、図示しない駆動機構によって、原稿読み取りの際には矢印方向へ移動する。駆動機構としては、例えば、タイミングベルトを用いた周知の駆動機構を用いることができる。
【００３８】
光学レンズユニット５５は、１または複数のレンズを備え、可動ミラーユニット５４から入力された光を撮像ユニット５６上に集光させる、縮小光学系のレンズユニットである。
【００３９】
撮像ユニット５６は、受光量に応じた電圧値を出力する半導体素子であり、一般的に、入射光を電荷に変換する受光素子と、受光素子において発生した電荷を転送するための素子を備える。撮像ユニット５６としては、例えば、転送回路に電荷結合素子（ＣＣＤ）を用いたＣＣＤセンサ、相補形金属酸化膜半導体（ＣＭＯＳ）を用いたＣＭＯＳセンサを用いることができる。本実施例では、撮像ユニット５６に複数の受光素子が水平方向に配列されており、各受光素子に対しては、Ｒ、Ｇ、Ｂのカラーフィルタが装着されている。
【００４０】
制御装置６０は、図示しない中央処理装置（ＣＰＵ）、メモリ、入出力インターフェース等を備えている。制御装置６０は、反射用光源装置１０ａのオン・オフ、透過用光源装置１０ｂにおける可視光光源のオン・オフ、走査ユニット５３および可動ミラーユニット５４の動作を制御する。制御装置６０は、撮像ユニット５６を介して読み取った原稿４０の画像データを取得する。
【００４１】
以上説明したように本実施例に係る光源装置１０によれば、光源として線状に配置された点光源を用いる場合であっても、光源装置１０の光量斑を低減することができる。すなわち、各ディフューザー３０ａ、３０ｂの両端部に薄肉部Ｔ１、Ｔ２を形成したので、光量の低下が課題とされている光源装置１０の両端部における光量の低下を抑制することが可能となり、光の照射面における光量のばらつきを抑制、すなわち、光量分布のばらつきを改善することができる。
【００４２】
また、本実施例に係る光源装置１０は、点光源２２ａ、２２ｂが交互に配置される各発光部２０ａ、２０ｂを備えているので、一方の発光部において点光源が存在しないことによる光量の低下を他方の発光部における点光源によって補うことができる。したがって、光源装置１０からの射出光の光量の一様性を向上させることができる。
【００４３】
本実施例に係る光源装置１０を備える原稿読み取り装置５０によれば、光量斑の少ない読み取り光を用いて原稿を読み取ることが可能となり、読み取り精度を向上させることができる。また、光源装置１０は平行に配置されている発光部２０ａ、２０ｂを備えているので、に適用された場合には、対象物が立体形状を有している場合、たとえば、しわを有する場合であっても、しわによって発生する陰影を抑制することができる。
【００４４】
・その他の実施例：
（１）上記実施例では、白色の発光ダイオードを点光源２２ａ、２２ｂに用いているが、例えば、赤色、緑色、青色の発光ダイオードを光源に用いても良い。また、点発光源として側面発光式の発光ダイオードを用いているが、上面発光式の発光ダイオード、他の点発光源、例えば、通常のフィラメントを用いた極小電球が用いられても良い。いずれの場合にも、点発光源であり、本実施例において述べた利点によって光量分布特性の均一化を図ることができる。
【００４５】
（２）本実施例に係る原稿読み取り装置５０では、走査ユニット５３が移動することによって原稿４０の読み取りが行われているが、固定されている走査ユニット上を原稿４０が移動しても良い。すなわち、原稿と走査ユニット（読み取り部）とが相対的に移動すれば良い。また、原稿とは、文書、画像その他、読み取りの対象となる対象を意味する。
【００４６】
（３）上記実施例では、光源装置１０を原稿読み取り装置５０に適用する例を説明したが、この他にも、ファクシミリ、複写機、複合機、ハンドスキャナといった、光源装置１０を用いることによって、原稿を読み取り可能な種々の装置に用いることができる。
【００４７】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００４８】
１０…光源装置
１０ａ…反射用光源装置
１０ｂ…透過用光源装置
１１…ハウジング
２０ａ…第１発光部
２０ｂ…第２発光部
２１ａ…第１基板
２１ｂ…第２基板
２２ａ…第１点光源
２２ｂ…第２点光源
２３ａ…コネクタ
３０ａ…第１ディフューザー
３０ｂ…第２ディフューザー
３１ａ…内側面
３２ａ…外側面
３３ａ…射出面
３４ａ…基部
３５ａ…拡散面
４０…原稿
４０ａ、４０ｂ…リフレクタ
５０…原稿読み取り装置
５３…走査ユニット
５４…可動ミラーユニット
５５…光学レンズユニット
５６…撮像ユニット
６０…制御装置
１１１…装着部
１１２ａ…第１収容部
１１２ｂ…第２収容部
３０１ａ…第１ディフューザー
３０２ａ…第１ディフューザー
３０３ａ…第１ディフューザー
５１１…原稿載置ガラス
５１２…原稿カバー
５２１…原稿載置ガラス
５３１…反射鏡
５４１…反射鏡
Ｅ１…点光源
Ｅ２…点光源
Ｓ…斜面
Ｔ１…第１の薄肉部
Ｔ２…第２の薄肉部
【図１】
2010243964.tif 000003
【図２】
2010243964.tif 000004
【図３】
2010243964.tif 000005
【図４】
2010243964.tif 000006
【図５】
2010243964.tif 000007
【図６】
2010243964.tif 000008
【図７】
2010243964.tif 000009
【図８】
2010243964.tif 000010
【図９】
2010243964.tif 000011
【図１０】
2010243964.tif 000012
【図１１】
2010243964.tif 000013
【図１２】
2010243964.tif 000014